(57)【要約】【課題】  本発明は、インスタントめんなどの食材を充填した複数個並列の容器を一列にして包装機側へ押し送りする装置を設備費低廉にして制御容易にしたものである。【構成】  本発明はインスタントめんなどの食材を充填し蓋被せシールしてリテーナーコンベアの端部上に到達した複数個づつ並列の角形を含む容器を下方より上動する押し上げ棒にて一列づつ固定の整列台上に押し上げ、該押し上げ容器列を同軸回転する各別のチェン間に前後にずらして設ける各別の押し棒にて個別押しして各容器を整列台上にて前後させ、次いで該各容器を横長バーにて先狭とするガイドレール間を押し前進させて一列に寄せ並べして先端の先狭口より包装機側に押し送りするようにしたことを特徴とするめんなどの食材を充填した複数個並列容器の包装機側への押し送り装置にある。【選択図】  図１
2008114867.tif 000002
【特許請求の範囲】
【請求項１】
インスタントめんなどの食材を充填し蓋被せシールしてリテーナーコンベアの端部上に到達した複数個づつ並列の角形を含む容器を下方より上動する押し上げ棒にて一列づつ固定の整列台上に押し上げ、該押し上げ容器列を同軸回転する各別のチェン間に前後にずらして設ける各別の押し棒にて個別押しして各容器を前後させ、次いで該各容器を横長バーにて先狭とするガイドレール間を押し前進させて一列に寄せ並べして先端の先狭口より包装機側に押し送りするようにしたことを特徴とするめんなどの食材を充填した複数個並列容器の包装機側への押し送り装置。
【発明の詳細な説明】
【技術分野】
【０００１】
この発明はめんなどの食材を充填した複数個並列容器の包装機側への押し送り装置に関するものである。
【背景技術】
【０００２】
従来、カップめん，インスタント焼きそばなどの自動連続充填包装機は、リテーナーコンベアの各リテーナーに並設した複数個の吊下げ穴のそれぞれに充填用の容器を掛吊りして走行させ、一時停止を含む走行中にめん，具材，スープなどの食材を該容器内に充填し蓋被せシールした後、包装機側に送出して包装用フィルムにて全面包装するようにしている。このフィルムによる全面包装は容器の上下側周をフィルムにて包被するため、包装ピッチに合わせて容器を前後間隔を置いた一列にして包装機側に送る必要がある。特にインスタント焼きそばなど平面視矩形の皿形容器は前向きに姿勢を正して送らなければならない。
これを図５（ａ）（ｂ）によって示すと、インスタントめんなどの食材を充填し蓋被せシールしてリテーナーコンベアの端部上に到達した複数個並列の矩形皿形容器３は個別の動力にて別々に遅速回転する複数列のベルトコンベアＡ，Ｂ，Ｃ上に載せられて該ベルトコンベアＡ，Ｂ，Ｃの遅速回転走行によって各容器３は前後し、先狭形をしたガイドレールＥ，Ｅ間を整列コンベアＤとともに走行し、各容器を一列に寄せ整列して包装機側に送り出すようにしている。
【特許文献１】なし
【発明の開示】
【発明が解決しようとする課題】
【０００３】
しかしながら、遅速回転走行するベルトコンベア列はそれぞれが独立した動力をもって遅速させるために設備費が嵩み、しかも各ベルトコンベア間の遅速回転の調整が煩雑で制御することが難しいという課題があり、また、めん等の食材の乾燥の早さなどに合わせてリテーナーコンベアの速度を遅速に調整する際、ベルトコンベア列はこれに合わせて速度調整をすることができないという課題があった。さらに各容器はベルトコンベアの上面が水濡れしたりすると、空滑りして前進しないことが生ずるという課題があった。同様にして整列コンベア上に至った各容器も整列コンベア上が水濡れなどするとガイドレールに当って斜め向きになったり、止まったりするという課題があった。特に重大なことはベルトコンベア、整列コンベアともに載上した容器のひとつが空滑りなどにて止まって前進しなくなるとあとの容器が当たりつかえ止まりすることによって装置全体の運転を不能にするという課題があった。
【課題を解決するための手段】
【０００４】
本発明は、インスタントめんなどの食材を充填し蓋被せシールしてリテーナーコンベアの端部上に到達した複数個づつ並列の角形を含む容器を下方より上動する押し上げ棒にて一列づつ固定の整列台上に押し上げ、該押し上げ容器列を同軸回転する各別のチェン間に前後にずらして設ける各別の押し棒にて個別押しして各容器を整理台上にて前後させ、次いで該各容器を横長バーにて先狭とするガイドレールの間を押し前進させて一列に寄せ並べして先端の先狭口より包装機側に押し送りするようにして、かかる課題を解決するようにしたのである。
【発明の効果】
【０００５】
本発明は、固定の整列台に押し上げ載上する複数個並列の角形を含む容器は押し棒と横長バーとにより押し前進させることで一列にして先狭口より包装機側に押し送りすることができるという効果を生ずる。
【０００６】
本発明は整列台上に押し上げた複数個並列の容器を前進させるための各押し棒は単一の動力により同軸回転する各別のチェン間に前後にずらして設けるようにしたので、従来のそれぞれが独立した動力をもって多数の動力により遅速回転するベルトコンベアの並設に較べて設備費が低廉になるとともに各コンベアの遅速調整の煩雑な制御を不要にするという効果を生じ、しかも動力を単一としたことで、押し棒の速度はリテーナーコンベアの調整速度に合致する最適な速度に容易に同期させることができるという効果を生ずる。また本発明は押し棒にて容器を押すので、容器は整列台上が水濡れていたり容器内の食材が軽量であったりしても空滑りすることが生ずることなくして確実に前進して前後することになるという効果を生ずる。
【０００７】
本発明は横長バーにて各容器の後面を全面押しして各容器を中寄せして一列にするので、従来見られた容器がガイドレールに当って止まったり、斜め向きになって姿勢が崩れたりすることがなく、正常な姿勢にて確実に前進させて一列にすることができるという効果を生ずる。さらに個々の容器を各横長バーにて押すので、容器がつかえ止まりして運転不能になるおそれが解消されるという効果を生ずる。また横長バーは左右を含めた各容器の押しに共用することで構造および操作がきわめて簡単になるという効果を生ずる。
【発明を実施するための最良の形態】
【０００８】
本発明は、インスタントめんなどの食材を充填し蓋被せシールしてリテーナーコンベアの端部上に到達した複数個づつ並列の角形を含む容器を下方より上動する押し上げ棒にて一列づつにて固定の整列台上に押し上げ、該押し上げ容器列を同軸回転する各別のチェン間に前後にずらして設ける押し棒にて該整列台上を個別に遅速押しして各容器を前後させ、次いで該各容器を横長バーにて先狭のガイドレールの間を押し前進させて一列に寄せ並べして先端の先狭口より包装機側に押し送りするのである。
【実施例１】
【０００９】
図１（ａ）（ｂ）に示すように、インスタント焼きそばを角形の皿形容器３に自動連続充填する包装機１は、容器３を図面では３個づつ並列させて掛吊り走行するリテーナーコンベア２と、リテーナーコンベア２の走行路上の途中に図示していない、焼きそばめん，具材，スープ等の充填部と蓋被せシール部とを設け、リテーナーコンベア２の端部の下方にリテーナー２ａの吊下げ穴２ｂから容器３を上動させるための台板４ａ付の押し上げ棒４を上下動自在において設けている。５は上動した容器３列を前方に押し出しするための押出し機構である。
【００１０】
リテーナーコンベア２の端部上に続く整列台６は前半と後半部分にて構成しており、前半の整列台６ａは図２（ａ）に示すように３組の固定レール７にて形成し、７ａはレール間の間隙である。各間隙７ａ下に単一の動力８にて同軸回転するチェン９を縦設し、各チェン９に前記間隙７ａを通って容器３の後面を押す押し棒１０を前後にずらして設けている。
【００１１】
後半の整列台６ｂは基端を広幅にして、漸次先狭にして先端を先狭口１１ｃとするガイドレール１１ａ，１１ｂを両側に立設し、ガイドレール１１ａ，１１ｂ間を横断し前進する横長バー１２を前後に一定の間隔を置いて設けてなる。横長バー１２は整列台６ｂの上方に設けた回転機構１２ａにより例えばガイドレール間を前進するようにしている。１３はガイドレール１１ａ，１１ｂの先端の先狭口１１ｃに続いて設ける押し送りコンベア、１４は包装機である。
【００１２】
リテーナーコンベア２は各リテーナー２ａに並設した各吊下げ穴２ｂに平面視矩形の角形皿形容器３を複数個並列して掛吊り走行させ、一時停止を含む走行中にインスタントの焼きそばめんなどの食材を充填し蓋被せシールしてリテーナーコンベア２の端部上に到達すると、３個づつ並列した容器３は下方より上動する押し上げ棒４にて押し上げられるとともに押出し機構５により前半の固定整列台６ａ上に１列づつ載せられ、各容器３を前後にずらし設けた各押し棒１０にて順に押して前後させて後半の固定整列台６ｂ上に送り載せ、先狭のガイドレール１１ａ，１１ｂ間を横断する各横長バー１２にて各容器３は後面の全面を押されて前進して、図３に示すように前進の途中にて両側の容器３はガイドレール１１ａ，１１ｂに当たりながら中央に寄せられて、中央の一列になって先狭口１１ｃより押し送り用コンベア１３に載って、包装機１４側に送られて容器３の全周をフィルム包装するのである。
【００１３】
前半の整列台６ａの各チェン９と押し棒１０は単一の動力によって同軸回転するので、各チェン９に設けた押し棒１０の前後の間隔は常に一定に保って各容器３を押すので、横並びした各容器３は順に押されて確実に前後することとなる。また後半の整列台６ｂは横長バー１２にて各容器３の後面の全面を押すので、各容器３はガイドレール１１ａ，１１ｂに当っても前向きが斜め向きとなったりする姿勢の乱れは全く生じないこととなる。前後した容器３は１個づつ横長バー１２にて押し前進して中央に寄せられて確実に一列となる。横長バー１２はガイドレール１１ａ，１１ｂ間を横断しているので、左右の容器を含めてすべての容器３を共用して押すこととなる。一列にした容器３の前後間の間隔は包装機１３の包装作業ピッチに応じて広狭に調整することができる。
【００１４】
なお以上の実施例は３個列の容器３にて説明したが、４個列，５個列等にすることもできる。また、この３個列等を１つの区分列として図４に示すように２区分，３区分等の数の容器３を１つのリテーナー２ａにて走行し、各区分列ごとに一列に整列するようにすることもある。その場合もすべてのチェン７は同軸回転させることができ、また横長バー１２はすべての区分列のガイドレール間をカバーする長さにすることで、多数列のすべての容器３に共用することができることとなる。
【産業上の利用可能性】
【００１５】
この発明は、食材を充填し蓋被せシールした複数個づつ並列の角形を含む容器を押し走行させて一列にして包装機側に押し送りするあらゆる自動連続充填包装機などに広く利用することができるものである。
【図面の簡単な説明】
【００１６】
【図１】本発明の１実施例を示すもので、（ａ）は側断面図、（ｂ）はその平面図
【図２】（ａ）は前半の整列台の部分拡大断面図、（ｂ）は同、部分平面図
【図３】後半の整列台上で横長バーの前進にて容器が中央に寄せられつつある状態を示す部分平面図
【図４】３個の容器を１つの区分列として３区分にて設けた例を示す平面図
【図５】従来例を示し、（ａ）はその側断面図、（ｂ）は同、平面図、（ｃ）は同、容器の前後の間隔が乱れ、また斜め向きが生じた状態を示す平面図
【符号の説明】
【００１７】
１は自動連続充填包装機
２はリテーナーコンベア
２ａはリテーナー
２ｂは吊下げ穴
３は容器
４は押し上げ棒
４ａは台板
５は押出し機構
６は整列台
６ａは前半の整列台
６ｂは後半の整列台
７は固定レール
７ａはレール間の間隙
８は動力
９はチェン
１０は押し棒
１１ａ，１１ｂはガイドレール
１１ｃは先狭口
１２は横長バー
１３は押し送りコンベア
１４は包装機
【図１】
2008114867.tif 000003
【図２】
2008114867.tif 000004
【図３】
2008114867.tif 000005
【図４】
2008114867.tif 000006
【図５】
2008114867.tif 000007